(57)【要約】【課題】ユーザの操作によりモードを切り替える手間がかからない画像処理装置、および画像処理プログラムを提供することを目的とする。【解決手段】  画像処理装置は、被搬送物が重なった状態であるか否かを示す検知情報を発生する重送検知センサと、被搬送物の有無を示す検知情報を発生する原稿検知センサと、原稿を読み取る読取手段と、読取手段などを制御する制御手段とを備える。複数の原稿検知センサは、搬送方向と交差する方向に間隔をあけて配置される。制御手段は、原稿が複数の原稿検知センサを通過したとき、重送検知センサからの検知情報に従って被搬送物が重なった状態にあると判断すると、搬送処理、または読取処理の少なくとも一方を停止させる。一方、キャリアシートが複数の原稿検知センサを通過したと判断すると、重送検知センサからの検知情報によらず、搬送処理、および読取処理を継続する。【選択図】        図４
2015195442.tif 000002
【特許請求の範囲】
【請求項１】
原稿、または原稿を挟むキャリアシートを被搬送物として搬送する搬送手段と、
前記搬送手段により搬送された被搬送物が重なった状態であるか否かを示す検知情報を発生する第一検知手段と、
前記搬送手段による被搬送物の搬送方向と交差する方向に互いに間隔をあけて配置され、被搬送物の有無を示す検知情報をそれぞれ発生する複数の第二検知手段と、
前記第一検知手段および複数の前記第二検知手段よりも前記搬送方向の下流に配置され、原稿の画像を読み取る読取手段と、
前記第一検知手段からの検知情報と、複数の前記第二検知手段からの複数の検知情報とに従って、前記搬送手段の搬送処理、および前記読取手段の読取処理を制御する第一制御処理を実行する制御手段と、
を備え、
複数の前記第二検知手段からの複数の検知情報の間において、それらの検知情報の発生タイミングまたは発生期間を示す検知情報発生状態が、原稿が複数の前記第二検知手段を通過するときに第一検知情報発生状態となり、キャリアシートが複数の前記第二検知手段を通過するときに前記第一検知情報発生状態と異なる第二検知情報発生状態となり、
前記制御手段は、複数の前記第二検知手段からの複数の検知情報のうち少なくとも１つの検知情報に従って被搬送物があると判断すると、前記第一制御処理として、
前記検知情報発生状態が前記第一検知情報発生状態であると判断した場合、前記第一検知手段からの検知情報に従って被搬送物が重なった状態にあるか否かを判断し、被搬送物が重なった状態にあると判断すると前記搬送処理、および前記読取処理の少なくとも一方を停止させ、
前記検知情報発生状態が前記第二検知情報発生状態であると判断した場合、前記第一検知手段からの検知情報によらず、前記搬送処理、および前記読取処理を継続させる
ことを特徴とする画像処理装置。
【請求項２】
被搬送物を前記搬送方向に案内する、少なくとも一方が前記搬送方向に対して直交する方向に移動する一対のサイドガイドを備え、
複数の前記第二検知手段は、
一対の前記サイドガイドが互いに最も近づいた時の搬送領域に少なくとも２個配置される
ことを特徴とする請求項１に記載の画像処理装置。
【請求項３】
前記制御手段は、
前記第一制御処理において、前記検知情報発生状態が前記第一検知情報発生状態であると判断した場合、前記第一検知手段からの検知情報に従って、被搬送物が重なった状態にないと判断すると、前記搬送処理、および前記読取処理を継続させ、
前記搬送処理、および前記読取処理を継続させた後、複数の前記第二検知手段からの複数の検知情報に従って、被搬送物がないと判断するまで、前記第一検知手段からの検知情報に従って被搬送物が重なった状態にあるか否かを判断し、被搬送物が重なった状態にあると判断すると、前記第一検知情報発生状態か前記第二検知情報発生状態かによらず、被搬送物の前記搬送処理、または前記読取処理の少なくとも一方を停止させる第二制御処理を実行する
ことを特徴とする請求項１、または請求項２に記載の画像処理装置。
【請求項４】
前記制御手段は、
複数の前記第二検知手段からの複数の検知情報に従って、被搬送物がないと判断した後、複数の前記第二検知手段からの複数の検知情報のうち少なくとも１つの検知情報に従って被搬送物があると判断すると、前記第一制御処理を再度実行する
ことを特徴とする請求項３に記載の画像処理装置。
【請求項５】
前記キャリアシートは、二枚の透明シートの一端を張り合わせて形成された張り合わせ部分に溝が形成された縁部を備え、
前記搬送手段は、前記張り合わせ部分を搬送方向下流に向けて前記キャリアシートを搬送し、
複数の前記第二検知手段の各々は、搬送方向に直交する方向の軸心周りに回動可能に配置された作動子と、前記作動子の回動を検知するセンサと、を備え、
前記センサは、作動子の回動により前記張り合わせ部分に配置された溝、または溝のない張り合わせ部分を検知し、
１つの前記第二検知手段の前記作動子は、前記張り合わせ部分に形成された前記溝に当接する位置に配置され、
別の前記第二検知手段の前記作動子は、前記溝のない前記張り合わせ部分に当接する位置に配置され、
前記制御手段は、複数の前記第二検知手段からの複数の検知情報に前記作動子と前記溝とが当接したタイミング、および前記作動子と前記溝のない前記張り合わせ部分とが当接したタイミングが含まれる場合を前記第二検知情報発生状態として、前記第一制御処理を実行する
ことを特徴とする請求項１から請求項４のいずれかに記載の画像処理装置。
【請求項６】
原稿、または原稿を挟むキャリアシートを被搬送物として搬送する搬送手段と、
前記搬送手段により搬送された被搬送物が重なった状態であるか否かを示す検知情報を発生する第一検知手段と、
前記搬送手段による被搬送物の搬送方向と交差する方向に間隔をあけて複数配置され、被搬送物の有無を示す検知情報を発生する複数の第二検知手段と、
前記第一検知手段および前記第二検知手段よりも前記搬送方向の下流に配置され、原稿の画像を読み取る読取手段と、を備える画像処理装置であって、
前記複数の検知情報の間において、それらの検知情報の発生タイミングまたは発生期間を示す検知情報発生状態が、原稿が複数の前記第二検知手段を通過するときに第一検知情報発生状態となり、キャリアシートが複数の前記第二検知手段を通過するときに前記第一検知情報発生状態と異なる第二検知情報発生状態となる画像処理装置において、前記読取手段、および前記搬送手段を制御する第一制御処理を実行するコンピュータに、
複数の前記第二検知手段からの複数の検知情報のうち少なくとも１つの検知情報に従って被搬送物があるか否かを判断する判断ステップと、
複数の前記第二検知手段からの複数の検知情報のうち少なくとも１つの検知情報に従って被搬送物があると前記判断ステップで判断すると、前記第一制御処理として、
前記検知情報発生状態が前記第一検知情報発生状態であると判断した場合、前記第一検知手段からの検知情報に従って被搬送物が重なった状態にあるか否かを判断し、被搬送物が重なった状態にあると判断すると前記搬送処理、および前記読取処理の少なくとも一方を停止させる停止ステップと、
前記検知情報発生状態が前記第二検知情報発生状態であると判断した場合、前記第一検知手段からの検知情報によらず、前記搬送処理、および前記読取処理を継続させる継続ステップと、
を実行させることを特徴とする画像処理プログラム。
【発明の詳細な説明】
【技術分野】
【０００１】
本発明は、画像処理装置、および画像処理プログラムに関する。
【背景技術】
【０００２】
従来、特許文献１に記載の画像読取装置は、分離搬送動作モード、および非分離搬送動作モードを備えている。特許文献１に記載の画像読取装置は、分離搬送動作モードにおいて、重送検知センサによる検知情報を基に、シートが重送していると判断した場合、シートの搬送を停止する、またはシートを排紙部まで継続して搬送する。一方、非分離搬送動作モードにおいて、重送検知センサは半折り原稿を検出し、検出された半折り原稿が読み取られる。切り替えスイッチ、またはＰＣの操作によって、動作モードが分離搬送動作モード、または非分離搬送動作モードに切り替えられる。
【先行技術文献】
【特許文献】
【０００３】
【特許文献１】特開２００９−１６９０２号公報
【発明の概要】
【発明が解決しようとする課題】
【０００４】
一般に、傷つきやすいシート、または異形シートが画像読取装置に読み取られる場合、キャリアシートに傷つきやすいシート、または異形シートが挟まれた状態で読み取られる。キャリアシートは、複数の透明シートが重ねられて形成される。特許文献１に記載の分離搬送動作モードにおいて、キャリアシートに挟まれたシートが読み取られる場合、複数の透明シートと挟まれたシートとが重なって搬送されるので、画像読取装置は、搬送されたシートが重送していると判断する可能性がある。搬送されたシートが重送していると画像読取装置が判断した場合、画像読取装置は、シートの搬送を停止する、またはシートを読み取らずにシートを排紙部まで継続して搬送する。
【０００５】
キャリアシートが画像読取装置に重送であると判断されないために、ユーザは画像読取装置が備える切り替えスイッチ、または画像読取装置に接続されたＰＣを操作し、分離搬送動作モード、および非分離搬送動作モードを切り替える必要がある。このため、ユーザにとっては、これらの動作モードを切り替える手間がかかる。
【０００６】
そこで、本発明は、ユーザの操作により動作モードを切り替える手間がかからない画像処理装置、および画像処理プログラムを提供することを目的とする。
【課題を解決するための手段】
【０００７】
この目的を達成するために、請求項１に記載の画像処理装置は、原稿、または原稿を挟むキャリアシートを被搬送物として搬送する搬送手段と、前記搬送手段により搬送された被搬送物が重なった状態であるか否かを示す検知情報を発生する第一検知手段と、前記搬送手段による被搬送物の搬送方向と交差する方向に互いに間隔をあけて配置され、被搬送物の有無を示す検知情報をそれぞれ発生する複数の第二検知手段と、前記第一検知手段および複数の前記第二検知手段よりも前記搬送方向の下流に配置され、原稿の画像を読み取る読取手段と、前記第一検知手段からの検知情報と、複数の前記第二検知手段からの複数の検知情報とに従って、前記搬送手段の搬送処理、および前記読取手段の読取処理を制御する第一制御処理を実行する制御手段と、を備え、複数の前記第二検知手段からの複数の検知情報の間において、それらの検知情報の発生タイミングまたは発生期間を示す検知情報発生状態が、原稿が複数の前記第二検知手段を通過するときに第一検知情報発生状態となり、キャリアシートが複数の前記第二検知手段を通過するときに前記第一検知情報発生状態と異なる第二検知情報発生状態となり、前記制御手段は、複数の前記第二検知手段からの複数の検知情報のうち少なくとも１つの検知情報に従って被搬送物があると判断すると、前記第一制御処理として、前記検知情報発生状態が前記第一検知情報発生状態であると判断した場合、前記第一検知手段からの検知情報に従って被搬送物が重なった状態にあるか否かを判断し、被搬送物が重なった状態にあると判断すると前記搬送処理、および前記読取処理の少なくとも一方を停止させ、前記検知情報発生状態が前記第二検知情報発生状態であると判断した場合、前記第一検知手段からの検知情報によらず、前記搬送処理、および前記読取処理を継続させることを特徴とする。
【０００８】
請求項２に記載の画像処理装置は、請求項１に記載の画像処理装置であって、被搬送物を前記搬送方向に案内する、少なくとも一方が前記搬送方向に対して直交する方向に移動する一対のサイドガイドを備え、複数の前記第二検知手段は、一対の前記サイドガイドが互いに最も近づいた時の搬送領域に少なくとも２個配置されることを特徴とする。
【０００９】
請求項３に記載の画像処理装置は、請求項１または請求項２に記載の画像処理装置であって、前記制御手段は、前記第一制御処理において、前記検知情報発生状態が前記第一検知情報発生状態であると判断した場合、前記第一検知手段からの検知情報に従って、被搬送物が重なった状態にないと判断すると、前記搬送処理、および前記読取処理を継続させ、前記搬送処理、および前記読取処理を継続させた後、複数の前記第二検知手段からの複数の検知情報に従って、被搬送物がないと判断するまで、前記第一検知手段からの検知情報に従って被搬送物が重なった状態にあるか否かを判断し、被搬送物が重なった状態にあると判断すると、前記第一検知情報発生状態か前記第二検知情報発生状態かによらず、被搬送物の前記搬送処理、または前記読取処理の少なくとも一方を停止させる第二制御処理を実行することを特徴とする。
【００１０】
請求項４に記載の画像処理装置は、請求項３に記載の画像処理装置であって、前記制御手段は、複数の前記第二検知手段からの複数の検知情報に従って、被搬送物がないと判断した後、複数の前記第二検知手段からの複数の検知情報のうち少なくとも１つの検知情報に従って被搬送物があると判断すると、前記第一制御処理を再度実行することを特徴とする。
【００１１】
請求項５に記載の画像処理装置は、請求項１から請求項４のいずれかに記載の画像処理装置であって、前記キャリアシートは、二枚の透明シートの一端を張り合わせて形成された張り合わせ部分に溝が形成された縁部を備え、前記搬送手段は、前記張り合わせ部分を搬送方向下流に向けて前記キャリアシートを搬送し、複数の前記第二検知手段の各々は、搬送方向に直交する方向の軸心周りに回動可能に配置された作動子と、前記作動子の回動を検知するセンサと、を備え、前記センサは、作動子の回動により前記張り合わせ部分に配置された溝、または溝のない張り合わせ部分を検知し、１つの前記第二検知手段の前記作動子は、前記張り合わせ部分に形成された前記溝に当接する位置に配置され、別の前記第二検知手段の前記作動子は、前記溝のない前記張り合わせ部分に当接する位置に配置され、前記制御手段は、複数の前記第二検知手段からの複数の検知情報に前記作動子と前記溝とが当接したタイミング、および前記作動子と前記溝のない前記張り合わせ部分とが当接したタイミングが含まれる場合を前記第二検知情報発生状態として、前記第一制御処理を実行することを特徴とする。
【００１２】
請求項６に記載の画像処理プログラムは、原稿、または原稿を挟むキャリアシートを被搬送物として搬送する搬送手段と、前記搬送手段により搬送された被搬送物が重なった状態であるか否かを示す検知情報を発生する第一検知手段と、前記搬送手段による被搬送物の搬送方向と交差する方向に間隔をあけて複数配置され、被搬送物の有無を示す検知情報を発生する複数の第二検知手段と、前記第一検知手段および前記第二検知手段よりも前記搬送方向の下流に配置され、原稿の画像を読み取る読取手段と、を備える画像処理装置であって、前記複数の検知情報の間において、それらの検知情報の発生タイミングまたは発生期間を示す検知情報発生状態が、原稿が複数の前記第二検知手段を通過するときに第一検知情報発生状態となり、キャリアシートが複数の前記第二検知手段を通過するときに前記第一検知情報発生状態と異なる第二検知情報発生状態となる画像処理装置において、前記読取手段、および前記搬送手段を制御する第一制御処理を実行するコンピュータに、複数の前記第二検知手段からの複数の検知情報のうち少なくとも１つの検知情報に従って被搬送物があるか否かを判断する判断ステップと、複数の前記第二検知手段からの複数の検知情報のうち少なくとも１つの検知情報に従って被搬送物があると前記判断ステップで判断すると、前記第一制御処理として、前記検知情報発生状態が前記第一検知情報発生状態であると判断した場合、前記第一検知手段からの検知情報に従って被搬送物が重なった状態にあるか否かを判断し、被搬送物が重なった状態にあると判断すると前記搬送処理、および前記読取処理の少なくとも一方を停止させる停止ステップと、前記検知情報発生状態が前記第二検知情報発生状態であると判断した場合、前記第一検知手段からの検知情報によらず、前記搬送処理、および前記読取処理を継続させる継続ステップと、を実行させることを特徴とする。
【発明の効果】
【００１３】
請求項１に記載の画像処理装置によれば、制御手段は、複数の第二検知手段からの複数の検知情報のうち少なくとも１つの検知情報に従って被搬送物があると判断すると、第一制御処理として、検知情報発生状態が第一検知情報発生状態であると判断した場合、第一検知手段からの検知情報に従って被搬送物が重なった状態にあるか否かを判断し、被搬送物が重なった状態にあると判断すると搬送処理、または読取処理の少なくとも一方を停止させる。一方、複数の第二検知手段からの複数の検知情報のうち少なくとも１つの検知情報に従って被搬送物があると判断すると、第一制御処理として、検知情報発生状態が第二検知情報発生状態であると判断した場合、第一検知手段からの検知情報によらず、搬送手段の搬送処理、および読取手段の読取処理を継続させる。すなわち、制御手段が複数の第二検知手段からの複数の検知情報と、第一検知手段からの検知情報とに従って、搬送手段の搬送処理、および読取手段の読取処理の継続または停止を自動的に切り替える。これにより、ユーザの操作により動作モードを切り替える手間をかけずに、原稿および溝、または孔が形成されたキャリアシートに挟まれた原稿を読み取らせることができる。
【００１４】
また、請求項２に記載の画像処理装置によれば、複数の第二検知手段は、一対のサイドガイドが互いに最も近づいた時の搬送領域に少なくとも２個配置される。これにより、一対のサイドガイドが、互いに最も近づいた時の搬送領域に対応する幅の狭い原稿の搬送処理、および読取処理が行われる場合であっても、複数の第二検知手段の各々が、原稿の有無を正確に検知することができる。従って、原稿と、溝、または孔が形成されたキャリアシートに挟まれた原稿の搬送処理、および原稿の読取処理をより確実に行うことができる。
【００１５】
原稿が連続して読み取られる場合、次に搬送される原稿は、搬送手段により搬送される原稿との静電気力、摩擦力などにより、搬送手段により搬送される原稿に引き込まれて搬送される可能性がある。この場合、第一制御処理において、被搬送物が重なった状態にないと判断され、読み取り動作が継続された後に、第一検知手段からの検知情報は、重なった状態を示す。しかし、複数の第二検知手段は、被搬送物の有無を検知するための手段であって、被搬送物の搬送を終えるまで被搬送物を検知し続ける。したがって、第一制御処理を継続すると、検知情報発生状態が第一検知情報発生状態、または第二検知情報発生状態であるかが判断できない。さらに、被搬送物が原稿であるとすでに区別されているため、検知情報発生状態が第一検知情報発生状態、または第二検知情報発生状態であるかを判断する必要がない。そこで、請求項３に記載の発明では、搬送処理、および読取処理を継続させた後、第二検知手段からの検知情報に従って、被搬送物がないと判断するまで、第一検知手段からの検知情報に従って被搬送物が重なった状態にあるか否かを判断し、被搬送物が重なった状態にあると判断すると、検知情報発生状態によらず、被搬送物の搬送処理、または読取処理の少なくとも一方を停止させる第二検知処理がされる。これにより、引き込まれて搬送された原稿は読み取られない。
【００１６】
請求項４に記載の画像処理装置によれば、制御手段は、複数の第二検知手段からの複数の検知情報に従って、被搬送物がないと判断した後、第二検知手段からの検知情報に従って、被搬送物があると判断すると、第一制御処理を再度実行する。これにより、連続して読み取られる原稿ごとに第一制御処理が行われ、被搬送物ごとに原稿とキャリアシートとが区別され、原稿が連続して読み取られる。
【００１７】
搬送手段が被搬送物を搬送する搬送速度が速くなると、作動子が孔の縁部に当接してから当接し終えるまでの時間が短いため、第二検知手段のセンサが作動子の回動を検知できない可能性がある。この場合、第一制御処理において、キャリアシートに挟まれていない原稿が重なった状態で搬送されていると判断され、孔を備えるキャリアシートに挟まれた原稿が、読み取られない可能性がある。一方、請求項５に記載の画像処理装置によれば、キャリアシートは、二枚の透明シートの一端を張り合わせて形成された張り合わせ部分に溝状に形成された縁部を備える。複数の第二検知手段からの複数の検知情報に含まれる、作動子と溝とが当接したタイミング、および作動子と溝のない張り合わせ部分とが当接したタイミングが示された検知タイミングを前記検知時間として、前記第一制御処理が実行される。これにより、作動子と溝とが当接したタイミング、および作動子と溝のない張り合わせ部分とが当接したタイミングがより確実に検知され、第一制御処理において原稿および溝、または孔が形成されたキャリアシートが区別され、原稿が読みとられる。
【図面の簡単な説明】
【００１８】
【図１】本実施形態の画像読取装置の本体上部を開放した状態で示す斜視図である。
【図２】本実施形態の画像読取装置の中央断面図ある。
【図３】本実施形態の画像読取装置の平面図である。
【図４】本実施形態の画像読取装置の原稿検知センサと、キャリアシートとの左右方向における位置関係を説明する図である。
【図５】本実施形態の画像読取装置のブロック図である。
【図６】制御部により実行される処理を表すフローチャートである。
【図７】分離された原稿の搬送時の原稿検知手段および重送検知手段の出力値の変化を示すタイミングチャートである。
【図８】キャリアシート搬送時の原稿検知手段および重送検知手段の出力値の変化を示すタイミングチャートである。
【図９】重送時の原稿検知手段および重送検知手段の出力値の変化を示すタイミングチャートである。
【図１０】連れ重送時の原稿検知手段および重送検知手段の出力値の変化を示すタイミングチャートである。
【発明を実施するための形態】
【００１９】
以下、本発明の実施の形態について図面を参照して説明する。図１から図４において、画像読取装置の前後方向、左右方向、および上下方向を図示する。
【００２０】
（画像読取装置１の機械的構成）
図１は本実施形態の画像読取装置１の本体上部を開放した斜視図である。画像読取装置１は、本体部２、および原稿トレイ３を備える。本体部２は、本体上部４と、本体下部５とを備える。本体上部４は、本体下部５に開閉可能に取り付けられる。原稿トレイ３は、本体部２の後方部分に配置される。ユーザの操作を受け付けるスイッチ６、および画像読取装置１の動作の状態を示すＬＥＤ７が本体上部４に配置される。
【００２１】
図２は本実施形態の画像読取装置１の構成を説明する中央断面図である。原稿の搬送経路である搬送路３０は、本体上部４、および本体下部５の間において原稿トレイ３から前方向に傾斜した形状で形成される。原稿は、原稿トレイ３から搬送路３０に沿って画像読取装置１の前方向へ搬送される。図２において、搬送路３０が、二点鎖線の矢印で示される。一対のサイドガイド１０、フロントセンサ１８、ピックアップローラ１１、原稿分離部１２、重送検知センサ１３、フィードローラ１４、原稿検知センサ１５、読取部１６、および排紙ローラ１７が搬送路３０に沿って配置される。さらに、画像読取装置１の制御部２０は、本体下部５に配置される。
【００２２】
図３に示すように、一対のサイドガイド１０は、原稿トレイ３に備えられた溝に沿って左右方向に移動可能に原稿トレイ３に装着されている。一対のサイドガイド１０の位置は、原稿トレイ３の左右方向の長さの中点から互いに左右方向に等距離となる。一対のサイドガイド１０が左右方向に移動されることにより、一対のサイドガイド１０の間に載置される原稿は、左右方向への移動が規制され、一対のサイドガイド１０により搬送路３０に案内される。
ピックアップローラ１１は、原稿トレイ３よりも搬送方向下流に配置される。原稿トレイ３に載置され、一対のサイドガイド１０の間に載置された原稿はピックアップローラ１１の回転により搬送路３０に沿って搬送される。図２に示すように、原稿分離部１２は、板状の部材であって、本体上部４の搬送路３０を挟んでピックアップローラ１１に対向する位置に配置される。原稿分離部１２は、ピックアップローラ１１に向かって押圧される。原稿は、原稿分離部１２で押圧され、摩擦力により一枚ずつに分離される。
【００２３】
重送検知センサ１３は、原稿分離部１２よりも搬送方向下流に配置される。本実施形態において、重送検知センサ１３は超音波センサであり、受信部１３Ａと送信部１３Ｂとを備える。受信部１３Ａが、本体下部５に配置され、送信部１３Ｂが、本体上部４の搬送路３０を挟み受信部１３Ａと対向する位置に配置される。受信部１３Ａ、および送信部１３Ｂは、受信部１３Ａが本体上部４に、受信部１３Ｂが本体下部５に配置されもよい。フィードローラ１４は、重送検知センサ１３よりも搬送方向下流に配置され、原稿をさらに搬送方向下流に搬送する。
【００２４】
図３に示すように、原稿検知センサ１５は、原稿検知センサ１５Ｌ、および原稿検知センサ１５Ｒの２個のセンサを備える。本実施形態においては、原稿検知センサ１５Ｌ、および原稿検知センサ１５Ｒは、フィードローラ１４よりも搬送方向下流の本体上部４に配置される。以下、原稿検知センサ１５Ｌ、および原稿検知センサ１５Ｒを区別しない場合、原稿検知センサ１５と記す。本実施形態において、原稿検知センサ１５は、搬送方向に沿う方向に回動可能に配置された作動子１５Ａと、フォトカプラ１５Ｂとを備える。すなわち、作動子１５Ａは搬送方向に平行に軸心１５Ｃ周りに回動する。作動子１５Ａの一端は、本体上部４から搬送路３０に突出し、原稿と接触可能である。作動子１５Ａの一端が原稿と接触すると、他端はフォトカプラ１５Ｂの光軸を遮断する位置から外れ、光軸を遮断しない。原稿検知センサ１５の配置、および動作については図３、および図４を用いて後述する。
【００２５】
図２に示すように、フロントセンサ１８は、ピックアップローラ１１よりも搬送方向上流の本体上部４に配置される。本実施形態において、フロントセンサ１８は、搬送方向に沿う方向に回動可能に配置された作動子と、フォトカプラとを備える。作動子の一端は、本体上部４から搬送路３０に突出し、原稿トレイ３に載置された原稿と接触可能である。作動子の一端が原稿と接触すると、他端はフォトカプラの光軸を遮断する位置から外れ、光軸を遮断しない。
【００２６】
読取部１６は、原稿検知センサ１５よりも搬送方向下流に配置される。読取部１６は、搬送された原稿を読み取るためのＣＩＳ（Ｃｏｎｔａｃｔ  Ｉｍａｇｅ  Ｓｅｎｓｏｒ）を含む。本実施形態において、ＣＩＳの主走査方向が左右方向であり、副走査方向が搬送方向である。排紙ローラ１７は読取部１６より搬送方向下流の本体下部５に配置され、読み取られた原稿を画像読取装置１から外へ搬送する。
【００２７】
図３は、本実施形態の画像読取装置１の本体下部５を上方向から見た図である。本体上部４は、図３に図示しない。原稿検知センサ１５Ｌ、および原稿検知センサ１５Ｒは、本体上部４に配置されるが、説明の便宜上、原稿検知センサ１５Ｌ、原稿検知センサ１５Ｒの配置領域３１Ｌ、３１Ｒのみが図３において二点鎖線でそれぞれ示される。図３において、サイドガイド１０の左右方向の可動領域３２と、一対のサイドガイド１０が最も近づいた時の最短の距離３３と、搬送領域の左端３４Ｌ、および搬送領域の右端３４Ｒとは二点鎖線で示される。
【００２８】
一対のサイドガイド１０が可動領域３２において互いに最も近づいた時の搬送領域の左端３４Ｌ、および右端３４Ｒの間に、２個の原稿検知センサ１５Ｌ、原稿検知センサ１５Ｒは搬送方向に直交し、原稿トレイ３の左右方向の長さの中点から互いに左右方向に均等な距離に配置される。
【００２９】
図４を用いて原稿検知センサ１５と、キャリアシート４０との配置関係を説明する。キャリアシート４０は、二枚の透明シートの一端が張り合わされて形成され、二枚の透明シートの間に異形の原稿、または傷付きやすい原稿を挟んで搬送される。二枚の透明シートの張り合わせ部分が先端部４０Ａであり、先端部４０Ａには溝４１が形成される。溝４１は、キャリアシート４０の搬送方向の長さが例えば１０ｍｍ、キャリアシートの左右方向の長さが例えば１０ｍｍであればよい。キャリアシート４０は、搬送方向に先端部４０Ａを向けて搬送される。原稿がキャリアシート４０に挟まれて読み取られる場合、一対のサイドガイド１０の位置は、ユーザによってキャリアシート４０のサイズに合わせて調節される。キャリアシート４０は、位置が調節された一対のサイドガイド１０の間に載置される。スイッチ６がユーザにより操作され、キャリアシート４０の搬送が開始される。原稿検知センサ１５Ｒの作動子１５Ａは、キャリアシート４０の溝４１の無い先端部４０Ａに接触する。一方、原稿検知センサ１５Ｌの作動子１５Ａは、先端部４０Ａに設けられた溝４１の縁部に接触する。原稿検知センサ１５Ｌが溝４１の縁部に接触する検知タイミングは、原稿検知センサ１５Ｒが溝のない先端部４０Ａに接触する検知タイミングよりも遅れる。本実施形態において、原稿検知センサ１５Ｌが溝４１の縁部に接触する検知タイミングと、原稿検知センサ１５Ｒが溝のない先端部４０Ａに接触する検知タイミングとの差は、例えば搬送速度が、Ａ４用紙を１分間に５０枚搬送することが可能な速度である場合、０．０２秒以上、または−０．０２秒以下であればよい。キャリアシート４０に挟まれない原稿が搬送される場合、原稿検知センサ１５Ｌの作動子１５Ａ、および原稿検知センサ１５Ｒの作動子１５Ａが原稿に接触する検知タイミングは同じである。本実施形態において、原稿検知センサ１５Ｒおよび原稿検知センサ１５Ｌが原稿を検知する検知タイミングの差が同じであるとは、例えば搬送速度が、Ａ４用紙を１分間に５０枚搬送することが可能な速度である場合、±０．０１秒以内であればよい。
【００３０】
（画像読取装置１の電気的構成）
図５は、画像読取装置１の電気的構成を概略的に示すブロック図である。画像読取装置１は、原稿の搬送、および読取処理を制御する制御部２０を備える。制御部２０は、ＣＰＵ２１、ＲＯＭ２２、およびＲＡＭ２３を備え、これらにスイッチ６、ＬＥＤ７、駆動部５３、読取部１６、アナログフロントエンド（以下、ＡＦＥ）５０、重送検知センサ１３、原稿検知センサ１５、およびフロントセンサ１８が接続される。
【００３１】
ＲＯＭ２２は画像処理装置１を制御するプログラム、および図６に示す処理を実行するプログラムなど各種プログラムを記憶する。ＣＰＵ２１は、ＲＯＭ２２に記憶される画像読取装置１の動作を制御するプログラムに従って、画像読取装置１を制御する。ＲＡＭ２３は、各部より受け取る情報を一時的に記憶する。
【００３２】
スイッチ６は、ユーザの操作を受け付け、受け付けた操作の情報をＣＰＵ２１へ送る。画像読取装置１は、スイッチ６からの操作の情報を受け付けて、図６に示すフローチャートの処理を実行する。
【００３３】
ＬＥＤ７は、画像読取装置１の状態を表示する。例えば、ＬＥＤ７は、２個のＬＥＤを備える。２個のＬＥＤの一方は、スタンバイ状態にあるときは緑色に点灯する。他方は、重送などのエラーが発生した場合、赤色に点灯する。
【００３４】
駆動部５３は、ピックアップローラ１１、フィードローラ１４、および排紙ローラ１７を駆動するためのモータを含む。ＣＰＵ２１からの指令に従ってモータが駆動、または停止されると、ピックアップローラ１１、フィードローラ１４、および排紙ローラ１７が回転、または停止される。
【００３５】
読取部１６は、光源５１、および受光部５２を備える。光源５１は、三原色ＲＧＢのＬＥＤを含む。読取部１６は、ＣＰＵ２１からの点灯指令に基づいて、三原色ＲＧＢのＬＥＤをそれぞれ点灯させる。また、三原色ＲＧＢのＬＥＤは、ＣＰＵ２１の消灯指令に従って消灯される。受光部５２は、搬送路３０に沿って搬送される原稿により、反射された光を受光し、受光量に応じたアナログ信号を発生する。受光部５２は、光源５１の３つのＬＥＤからの受光量に応じたアナログ信号をＡＦＥ５０へ送る。
【００３６】
ＡＦＥ５０は、アンプ、フィルタ、およびＡ／Ｄ変換器を含み、読取部１６、および制御部２０に接続される。ＡＦＥ５０は、読取部１６の受光部５２から送られるアナログ信号をデジタル信号に変換する。デジタル信号に変換された読み取りデータは、制御部２０へ送られる。読み取りデータは、ＣＰＵ２１によって結合され、一枚の画像の情報としてＲＡＭ２３に保存される。
【００３７】
原稿が重送検知センサ１３の受信部１３Ａと送信部１３Ｂとの間を横切ると、送信部１３Ｂから送られた超音波の振幅が減衰し、受信部１３Ａで受信される。超音波の振幅の減衰量は、原稿が重なっているほど多く、重なりがないほど少なくなる。重送検知センサ１３は、検知した振幅を示す振幅情報をＣＰＵ２１へ送る。振幅情報に基づく減衰量は、原稿が搬送されていない場合の振幅情報から、受信部１３Ａからの振幅情報を引くことで算出される。算出された減衰量が、重送を示す閾値を越えるか否かで、重送が発生したか否かが判断される。原稿が搬送されていない場合の振幅情報、および重送を示す閾値はあらかじめＲＯＭ２２に記憶される。
【００３８】
原稿検知センサ１５は、原稿が搬送されているか否かを検知する。作動子１５Ａの一端が、搬送される原稿と接触し、回動すると、作動子１５Ａの他端は継続して原稿に接触し、フォトカプラ１５Ｂの光軸を遮断しない。原稿検知センサ１５Ｌ、および原稿検知センサ１５Ｒは、それぞれ検知情報をＣＰＵ２１に送る。
【００３９】
フロントセンサ１８は、原稿トレイ３に原稿が載置されているか否かを検知する。作動子の一端が、原稿トレイ３に載置される原稿と接触し、回動すると、作動子の他端はフォトカプラの光軸を遮断しない。フォトカプラは、作動子がフォトカプラの光軸を遮断しているか否かを検知し、ＣＰＵ２１に検知情報を送る。例えば、フォトカプラは作動子が光軸を遮断していないことを検知すると、検知情報としてＯＮ情報をＣＰＵ２１へ送る。一方、作動子が光軸を遮断していることを検知すると、フォトカプラは検知情報としてＯＦＦ情報をＣＰＵ２１へ送る。原稿トレイ３に載置された原稿が原稿トレイ３から無くなるまで、作動子は、原稿に接触する。フォトカプラは作動子が光軸を遮断していないことを検知し、検知情報としてＯＮ情報をＣＰＵ２１へ送る。
【００４０】
（ＣＰＵ２１による制御）
図６は、画像読取装置１のＣＰＵ２１が実行する処理のフローチャートである。ＣＰＵ２１は、スイッチ６からの操作の情報に従って、読み取り開始指令を受け付けると、ＲＯＭ２２に記憶されたプログラムに従い、フローチャートに示す処理を開始する。
【００４１】
ステップＳ１００では、搬送開始指令が駆動部５３に送られる。搬送開始指令が送られると、処理はステップＳ１０１に移される。
【００４２】
ステップＳ１０１では、原稿検知センサ１５Ｌ、または原稿検知センサ１５Ｒの少なくとも一方が原稿を検知したか否かが判断される。原稿検知センサ１５Ｌ、または原稿検知センサ１５Ｒの少なくとも一方からの検知情報がＯＮ情報であると判断された場合、ステップＳ１０１の判断結果はＹＥＳとなり、処理はステップＳ１０２に移される。一方、原稿検知センサ１５Ｌ、および原稿検知センサ１５Ｒからの検知情報がＯＦＦ情報であると判断された場合、ステップＳ１０１の判断結果はＮＯとなり、ステップＳ１０１の処理を繰り返す。以下、検知情報がＯＦＦ情報からＯＮ情報になるタイミングを原稿先端検知タイミング、またＯＮ情報からＯＦＦ情報になるタイミングを原稿後端検知タイミングとする。
【００４３】
ステップＳ１０２では、原稿検知センサ１５Ｌ、および原稿検知センサ１５Ｒから送られた検知情報が示す原稿先端検知タイミングが比較される。原稿先端検知タイミングが同時であると判断された場合、ステップＳ１０２の判断結果はＹＥＳとなり、処理はステップＳ１１０に移される。一方、原稿先端検知タイミングが異なると判断された場合、ステップＳ１０２の判断結果はＮＯとなり、処理はステップＳ１２０に移される。なお、原稿先端検知タイミングが同時である場合が第一検知情報発生状態の一例であり、原稿先端検知タイミングが異なる場合が第二検知情報発生状態の一例である。
【００４４】
ステップＳ１１０では、重送検知センサ１３からの振幅情報に基づく減衰量がＲＯＭ２２にあらかじめ記憶された重送を示す閾値を越えるか否かが判断される。例えば、振幅情報に基づく減衰量が重送を示す閾値を越えると判断された場合、ステップＳ１１０の判断結果はＹＥＳとなり、処理はステップＳ１３０に移される。一方、振幅情報に基づく減衰量が重送を示す閾値を越えないと判断された場合、ステップＳ１１０の判断結果はＮＯとなり、処理はステップＳ１１１に移される。
【００４５】
ステップＳ１１１では、光源５１の点灯指令が読取部１６に送られる。原稿をカラーで読み取る場合、三原色ＲＧＢのＬＥＤがそれぞれ時分割で点灯するように点灯指令が送られる。原稿をモノクロで読み取る場合、三原色ＲＧＢのＬＥＤのいずれか、または三原色ＲＧＢのＬＥＤのすべてが点灯するように点灯指令が送られる。点灯指令が送られると、処理はステップＳ１１２に移される。
【００４６】
ステップＳ１１２では、読み取りデータが結合される。受光部５２は、搬送路３０に沿って搬送される原稿の一部により反射された光を受光し、受光量に応じたアナログ信号をＡＦＥ５０へ送る。ＡＦＥ５０によりデジタル信号に変換された読み取りデータは、原稿の一部であるので、ＣＰＵ２１によって結合され、一枚の画像の情報としてＲＡＭ２３に保存される。
【００４７】
ステップＳ１１３では、ステップＳ１１０の処理と同様に、重送検知センサ１３からの振幅情報に基づく減衰量がＲＯＭ２２にあらかじめ記憶された重送を示す閾値を越えるか否かが判断される。振幅情報に基づく減衰量が原稿の重送を示す閾値を越えると判断された場合、ステップＳ１１３の判断結果はＹＥＳとなり、処理はステップＳ１４０に移される。一方、振幅情報に基づく減衰量が重送を示す閾値を越えないと判断された場合、ステップＳ１１３の判断結果はＮＯとなり、処理はステップＳ１１４に移される。
【００４８】
ステップＳ１１４では、原稿検知センサ１５Ｌ、および原稿検知センサ１５Ｒからの検知情報に従って、原稿検知センサ１５Ｌ、および原稿検知センサ１５Ｒが原稿後端検知タイミングを検知したか否かが判断される。原稿検知センサ１５Ｌ、および原稿検知センサ１５Ｒが原稿後端検知タイミングを検知したと判断された場合、ステップＳ１１４の判断結果はＹＥＳとなり、処理はステップＳ１１５に移される。一方、原稿検知センサ１５Ｌ、および原稿検知センサ１５Ｒが原稿後端検知タイミングを検知していないと判断された場合、ステップＳ１１４の判断結果はＮＯとなり、処理はステップＳ１１２に移される。
【００４９】
ステップＳ１１５では、光源５１の消灯指令が読取部１６に送られる。さらに、消灯指令が送られると、処理はステップＳ１１６に移される。
【００５０】
ステップＳ１１６では、搬送停止指令が駆動部５３に送られる。搬送停止指令が送られると、処理はステップＳ１１７に移される。
【００５１】
ステップＳ１１７では、原稿、またはキャリアシートがトレイ３に載置されているか否かが判断される。原稿が載置されているか否かが、フロントセンサ１８により検知される。フロントセンサ１８からの検知情報に従って、原稿が載置されていると判断された場合、ステップＳ１１７の判断結果はＹＥＳとなり、処理はステップＳ１００に移される。一方、フロントセンサ１８からの検知情報に従って、原稿が載置されていないと判断された場合、ステップＳ１１７の判断結果はＮＯとなり、フローチャートの処理が終了される。
【００５２】
ステップＳ１２０では、光源５１の点灯指令が読取部１６に送られる。原稿をカラーで読み取る場合、三原色ＲＧＢのＬＥＤがそれぞれ時分割で点灯するように点灯指令が送られる。原稿をモノクロで読み取る場合、三原色ＲＧＢのＬＥＤのいずれか、または三原色ＲＧＢのＬＥＤのすべてが点灯するように点灯指令が送られる。点灯指令が送られると、処理はステップＳ１２１に移される。
【００５３】
ステップＳ１２１では、読み取りデータが結合される。受光部５２は、搬送路３０に沿って搬送される原稿の一部により反射された光を受光し、受光量に応じたアナログ信号をＡＦＥ５０へ送る。ＡＦＥ５０によりデジタル信号に変換された読み取りデータは、原稿の一部であるので、ＣＰＵ２１によって結合され、一枚の画像の情報としてＲＡＭ２３に保存される。
【００５４】
ステップＳ１２２では、ステップＳ１１４の処理と同様に、原稿検知センサ１５Ｌ、および原稿検知センサ１５Ｒからの検知情報に従って、原稿検知センサ１５Ｌ、および原稿検知センサ１５Ｒが原稿後端検知タイミングを検知したか否かが判断される。原稿検知センサ１５Ｌ、および原稿検知センサ１５Ｒが原稿後端検知タイミングを検知したと判断された場合、ステップＳ１２２の判断結果はＹＥＳとなり、処理はステップＳ１２３に移される。一方、原稿検知センサ１５Ｌ、および原稿検知センサ１５Ｒが原稿後端検知タイミングを検知していないと判断された場合、ステップＳ１２２の判断結果はＮＯとなり、処理はステップＳ１２１に移される。
【００５５】
ステップＳ１２３では、読取部１６に光源５１の消灯指令が送られる。消灯指令が送られると、処理はステップＳ１２４に移される。
【００５６】
ステップＳ１２４では、搬送停止指令が駆動部５３に送られる。搬送停止指令が送られると、処理はステップＳ１２５に移される。
【００５７】
ステップＳ１２５では、ステップＳ１１７の処理と同様に、原稿、またはキャリアシートがトレイ３に載置されているか否かが判断される。原稿が載置されているか否かは、フロントセンサ１８により検知される。フロントセンサ１８からの検知情報に従って、原稿が載置されていると判断された場合、ステップＳ１２５の判断結果はＹＥＳとなり、処理はステップＳ１００に移される。一方、フロントセンサ１８からの検知情報に従って、原稿が載置されていないと判断された場合、ステップＳ１２５の判断結果はＮＯとなり、フローチャートの処理が終了される。
【００５８】
ステップＳ１３０では、搬送停止指令が駆動部５３に送られる。さらに、ＬＥＤ７のエラーを示すＬＥＤを赤く点灯させる。搬送停止指令が送られると、フローチャートの処理が終了される。
【００５９】
ステップＳ１４０では、読取部１６に光源５１の消灯指令が送られる。消灯指令が送られると、処理はステップＳ１３０に移される。
【００６０】
（具体的動作例）
本実施形態の画像読取装置１において、後述する動作例１から動作例４は、複数の原稿検知センサ１５の検知情報および検知タイミングと、重送検知センサ１３の検知情報とに従って、ＣＰＵ２１が自動的に動作を切り替えることにより、ユーザによるモード切り替え操作を必要としないで実行される。
【００６１】
[動作例１．原稿が重なっていないときの読み取り制御]
重送していない原稿の読み取り制御について図６、および図７を用いて説明する。図７において、ｔ１〜ｔ８は、各処理の実行タイミング、またはイベント発生タイミングを示す。
【００６２】
スイッチ６からの操作の情報に従って、図６に示す処理が開始される。処理の実行タイミングｔ１において、ＣＰＵ２１は、駆動部５３に搬送開始指令を送る（Ｓ１００）。駆動部５３は、搬送開始指令を受けてピックアップローラ１１、フィードローラ１４、および排紙ローラ１７を回転させ、原稿トレイ３に載置された原稿が搬送方向下流に向かって搬送される。
【００６３】
原稿は、原稿分離部１２によって一枚ずつに分離される。イベント発生タイミングｔ２において、原稿分離部１２を通過した原稿は、重送検知センサ１３の受信部１３Ａ、および送信部１３Ｂを横切る。イベント発生タイミングｔ２は、処理の実行タイミングｔ１から後述するイベント発生タイミングｔ３までの時間において、重送検知センサ１３からの振幅情報が変化するタイミングである。しかし、ＣＰＵ２１は振幅情報が重送を示す閾値を越えたか否かをイベント発生タイミングｔ３まで判断せず、原稿の搬送を継続させる。なお、原稿の搬送を継続させるとは、ＣＰＵ２１が搬送停止指令を駆動部５３に送らないこと、または搬送継続指令を送ることをいう。いずれにしても、原稿の搬送が継続されればよい。原稿は、重送検知センサ１３を通過するとフィードローラ１４により、さらに搬送方向下流に搬送される。
【００６４】
次にイベント発生タイミングｔ３において、原稿検知センサ１５は、原稿を検知する（Ｓ１０１：ＹＥＳ）。ＣＰＵ２１は、原稿検知センサ１５Ｌ、および原稿検知センサ１５Ｒの原稿先端検知タイミングを比較する（Ｓ１０２）。本動作例１においては、原稿はキャリアシート４０に挟まれない通常の原稿なので、原稿検知センサ１５Ｌ、および原稿検知センサ１５Ｒの原稿先端検知タイミングが同じであると判断される。これにより、ステップＳ１０２の判断結果がＹＥＳとなり、処理はステップＳ１１０へ移される。
【００６５】
ステップＳ１１０では、重送検知センサ１３からの振幅情報に基づく減衰量があらかじめ定められた閾値を越えるか否かが判断される。本動作例１においては、原稿が重送していない場合であるので、重送検知センサ１３からの振幅情報に基づく減衰量は、重送を示す閾値を越えないと判断される。そのため、ステップＳ１１０の判断結果がＮＯとなり、処理はステップＳ１１１へ移される。
【００６６】
処理の実行タイミングｔ４において、ＣＰＵ２１は、光源５１の点灯指令を読取部１６に送る（Ｓ１１１）。読取部１６は、点灯指令を受けて光源５１を点灯させる。原稿がカラーで読み取られる場合、三原色ＲＧＢのＬＥＤは、それぞれ時分割で点灯する。原稿がモノクロで読み取られる場合、いずれかの三原色ＲＧＢのＬＥＤ、または三原色ＲＧＢのＬＥＤのすべてが点灯される。
【００６７】
処理の実行タイミングｔ４からイベント発生タイミングｔ６までの間において、ステップＳ１１２、Ｓ１１３、およびＳ１１４の処理がされる。受光部５２は、原稿により反射された光を受光し、受光量に応じたアナログ信号をＡＦＥ５０へ送る。ＡＦＥ５０は、アナログ信号をＡ／Ｄ変換し、ＣＰＵ２１へ送る。さらに、ＣＰＵ２１は、読み取りデータを結合し、一枚の画像の情報としてＲＡＭ２３に保存する（Ｓ１１２）。
【００６８】
イベント発生タイミングｔ５は、重送検知センサ１３からの振幅情報が変化したと判断されるタイミングである。イベント発生タイミングｔ５において、重送検知センサ１３からの振幅情報に基づく減衰量がＲＯＭ２２にあらかじめ記憶された重送を示す閾値を越えるか否かが判断される（Ｓ１１３）。本動作例１において原稿は重なっていない状態なので、振幅情報に基づく減衰量は重送を示す閾値を越えない。そのため、ステップＳ１１３の判断結果はＮＯとなり、処理はステップＳ１１４に移される。
【００６９】
次に原稿検知センサ１５Ｌ、および原稿検知センサ１５Ｒが原稿後端検知タイミングを検知したか否かが判断される（Ｓ１１４）。イベント発生タイミングｔ６において、原稿後端検知タイミングを検知したと判断された場合、ステップＳ１１４の判断結果はＹＥＳとなり、処理はステップＳ１１５に移される。一方、原稿先端検知タイミングが検知していないと判断された場合、ステップＳ１１４の判断結果はＮＯとなり、処理はステップＳ１１２に移される。
【００７０】
ステップＳ１１５では、処理の実行タイミングｔ７において、ＣＰＵ２１は、光源５１の消灯指令を読取部１６に送る。読取部１６は、消灯指令を受けて光源５１を消灯する。
【００７１】
ステップＳ１１６では、処理の実行タイミングｔ８において、駆動部５３へ搬送停止指令が送られる。駆動部５３は、搬送停止指令に従って、ピックアップローラ１１、フィードローラ１４、および排紙ローラ１７の回転を停止する。
【００７２】
ステップＳ１１７では、原稿、またはキャリアシートがトレイ３に載置されているか否かが判断される。原稿が載置されているか否かは、フロントセンサ１８により検知される。フロントセンサ１８からの検知情報に従って、原稿が載置されていると判断された場合、ステップＳ１２５の判断結果はＹＥＳとなり、処理はステップＳ１００に移される。一方、フロントセンサ１８からの検知情報に従って、原稿が載置されていないと判断された場合、ステップＳ１２５の判断結果はＮＯとなり、フローチャートの処理が終了される。
【００７３】
[動作例２．キャリアシートの読み取り制御]
キャリアシート４０を利用した原稿の読み取り制御について図６、および図８を用いて説明する。図８において、ｔ１１〜ｔ１９は、各処理の実行タイミング、またはイベント発生タイミングを示す。
【００７４】
スイッチ６からの操作の情報に従って、図６に示す処理が開始される。処理の実行タイミングｔ１１において、ＣＰＵ２１は、駆動部５３に搬送開始指令を送る（Ｓ１００）。駆動部５３は、搬送開始指令を受けてピックアップローラ１１、フィードローラ１４、および排紙ローラ１７を回転し、原稿トレイ３に載置された原稿を搬送方向下流に向かって搬送する。
【００７５】
原稿分離部１２を通過したキャリアシート４０は、イベント発生タイミングｔ１２において、重送検知センサ１３の受信部１３Ａ、および送信部１３Ｂを横切る。イベント発生タイミングｔ１２は、処理の実行タイミングｔ１１からイベント発生タイミングｔ１３までの時間において、重送検知センサ１３からの振幅情報が変化するタイミングである。しかし、ＣＰＵ２１は振幅情報が重送を示す閾値を越えたか否かをイベント発生タイミングｔ１３まで判断せず、原稿の搬送を継続する。なお、原稿の搬送を継続させるとは、ＣＰＵ２１が搬送停止指令を駆動部５３に送らないこと、または搬送継続指令を送ることをいう。いずれにしても、原稿の搬送が継続されればよい。原稿は、重送検知センサ１３を通過するとフィードローラ１４により、さらに搬送方向下流に搬送される。
【００７６】
次にイベント発生タイミングｔ１３（Ｓ１０１：ＹＥＳ）、およびｔ１４において、原稿検知センサ１５は、原稿を検知する。ＣＰＵ２１は、原稿検知センサ１５Ｌ、および原稿検知センサ１５Ｒの原稿先端検知タイミングを比較する（Ｓ１０２）。本動作例２においては、原稿はキャリアシート４０に挟まれ、先端部４０Ａには溝４１が備えられている。原稿検知センサ１５Ｌ、および原稿検知センサ１５Ｒの原稿先端検知タイミングは溝４１の分ずれて検出したと判断される。これにより、ステップＳ１０２の判断結果がＮＯとなり、処理はステップＳ１２０へ移される。
【００７７】
処理の実行タイミングｔ１５において、ＣＰＵ２１は、光源５１の点灯指令を読取部１６に送る（Ｓ１２０）。読取部１６は、点灯指令を受けて光源５１を点灯する。原稿がカラーで読み取られる場合、三原色ＲＧＢのＬＥＤは、それぞれ時分割で点灯する。原稿がモノクロで読み取られる場合、いずれかの三原色ＲＧＢのＬＥＤ、または三原色ＲＧＢのＬＥＤすべてが点灯される。
【００７８】
処理の実行タイミングｔ１５からイベント発生タイミングｔ１７までの間において、ステップＳ１２１、およびＳ１２２の処理がされる。受光部５２は、原稿により反射された光を受光し、受光量に応じたアナログ信号をＡＦＥ５０へ送る。ＡＦＥ５０は、アナログ信号をＡ／Ｄ変換し、ＣＰＵ２１へ送る。さらに、ＣＰＵ２１は、読み取りデータを結合し、一枚の画像の情報としてＲＡＭ２３に保存する（Ｓ１１２）。
【００７９】
本動作例２において、イベント発生タイミングｔ１６は、振幅情報が変化するタイミングの一例である。しかし、ＣＰＵ２１は振幅情報が重送を示す閾値を越えたか否かを判断せず、原稿の搬送を継続させる。なお、原稿の搬送を継続させるとは、ＣＰＵ２１が搬送停止指令を駆動部５３に送らないこと、または搬送継続指令を送ることをいう。いずれにしても、原稿の搬送が継続されればよい。原稿は、重送検知センサ１３を通過するとフィードローラ１４により、さらに搬送方向下流に搬送される。
【００８０】
ステップＳ１２２では、原稿検知センサ１５Ｌ、および原稿検知センサ１５Ｒが原稿後端検知タイミングを検知したか否かが判断される。イベント発生タイミングｔ１７において、原稿後端検知タイミングを検知したと判断された場合、ステップＳ１２２の判断結果はＹＥＳとなり、処理はステップＳ１２３に移される。一方、原稿先端検知タイミングを検知していないと判断された場合、ステップＳ１２２の判断結果はＮＯとなり、処理はステップＳ１２１に移される。
【００８１】
ステップＳ１２３では、処理の実行タイミングｔ１８において、ＣＰＵ２１は、光源５１の消灯指令を読取部１６に送る。読取部１６は、消灯指令を受けて光源５１を消灯する。
【００８２】
ステップＳ１２４では、処理の実行タイミングｔ８において、駆動部５３へ搬送停止指令が送られる。駆動部５３は、搬送停止指令に従って、ピックアップローラ１１、フィードローラ１４、および排紙ローラ１７の回転を停止する。
【００８３】
ステップＳ１２５では、原稿、またはキャリアシートがトレイ３に載置されているか否かが判断される。原稿が載置されているか否かは、フロントセンサ１８により検知される。フロントセンサ１８からの検知情報に従って、原稿が載置されていると判断された場合、ステップＳ１２５の判断結果はＹＥＳとなり、処理はステップＳ１００に移される。一方、フロントセンサ１８からの検知情報に従って、原稿が載置されていないと判断された場合、ステップＳ１２５の判断結果はＮＯとなり、フローチャートの処理が終了される。
【００８４】
[動作例３．重送時の制御１]
重送している原稿の読み取り制御について図６、および図９を用いて説明する。図９において、ｔ２１〜ｔ２４は、各処理の実行タイミング、またはイベント発生タイミングを示す。
【００８５】
スイッチ６からの操作の情報に従って、図６に示す処理が開始される。処理の実行タイミングｔ２１において、ＣＰＵ２１は、駆動部５３に搬送開始指令を送る（Ｓ１００）。駆動部５３は、搬送開始指令を受けてピックアップローラ１１、フィードローラ１４、および排紙ローラ１７を回転し、原稿トレイ３に載置された原稿を搬送方向下流に向かって搬送する。
【００８６】
原稿分離部１２を通過した原稿は、イベント発生タイミングｔ２２において、重送検知センサ１３の受信部１３Ａ、および送信部１３Ｂを横切る。イベント発生タイミングｔ２２は、処理の実行タイミングｔ２１からイベント発生タイミングｔ２３までの時間において、重送検知センサ１３からの振幅情報が変化するタイミングである。しかし、ＣＰＵ２１は振幅情報が重送を示す閾値を越えたか否かをイベント発生タイミングｔ２３まで判断せず、原稿の搬送を継続させる。なお、原稿の搬送を継続させるとは、ＣＰＵ２１が搬送停止指令を駆動部５３に送らないこと、または搬送継続指令を送ることをいう。いずれにしても、原稿の搬送が継続されればよい。原稿は、重送検知センサ１３を通過するとフィードローラ１４により、さらに搬送方向下流に搬送される。
【００８７】
次にイベント発生タイミングｔ２３において、原稿検知センサ１５は、原稿を検知する（Ｓ１０１：ＹＥＳ）。ＣＰＵ２１は、原稿検知センサ１５Ｌ、および原稿検知センサ１５Ｒの原稿先端検知タイミングを比較する（Ｓ１０２）。本動作例３においては、原稿はキャリアシート４０に挟まれない通常の原稿なので、原稿検知センサ１５Ｌ、および原稿検知センサ１５Ｒの原稿先端検知タイミングが同じであると判断される。これにより、ステップＳ１０２の判断結果がＹＥＳとなり、処理はステップＳ１１０へ移される。
【００８８】
ステップＳ１１０では、重送検知センサ１３からの振幅情報に基づく減衰量があらかじめ定められた閾値を越えるか否かが判断される。本動作例３においては、原稿が重送している場合であるので、重送検知センサ１３からの振幅情報に基づく減衰量は、重送を示す閾値を越えると判断される。そのため、ステップＳ１１０の判断結果はＹＥＳとなり、処理はステップＳ１３０へ移される。
【００８９】
ステップＳ１３０では、処理の実行タイミングｔ２４において、駆動部５３へ搬送停止指令が送られる。駆動部５３は、搬送停止指令に従って、ピックアップローラ１１、フィードローラ１４、および排紙ローラ１７の回転を停止する。また、ＣＰＵ２１は、ＬＥＤ７のエラーを示すＬＥＤを赤く点灯させる。フローチャートの処理は、搬送停止指令が送られると終了する。
【００９０】
[動作例４．重送時の制御２]
原稿が途中から複数枚重なって搬送される連れ重送の時の原稿の読み取り制御について図６、および図１０を用いて説明する。図１０において、ｔ３１〜ｔ３７は、各処理の実行タイミング、またはイベント発生タイミングを示す。
【００９１】
スイッチ６からの操作の情報に従って、図６に示す処理が開始される。処理の実行タイミングｔ３１において、ＣＰＵ２１は、駆動部５３に搬送開始指令を送る（Ｓ１００）。駆動部５３は、搬送開始指令を受けてピックアップローラ１１、フィードローラ１４、および排紙ローラ１７を回転させ、原稿トレイ３に載置された原稿が搬送方向下流に向かって搬送される。
【００９２】
原稿分離部１２を通過した原稿は、イベント発生タイミングｔ３２において、重送検知センサ１３の受信部１３Ａ、および送信部１３Ｂを横切る。イベント発生タイミングｔ３２は、処理の実行タイミングｔ３１からイベント発生タイミングｔ３３までの時間において、重送検知センサ１３からの振幅情報が変化するタイミングである。しかし、ＣＰＵ２１は振幅情報が重送を示す閾値を越えたか否かをイベント発生タイミングｔ３３まで判断せず、原稿の搬送を継続させる。なお、原稿の搬送を継続させるとは、ＣＰＵ２１が搬送停止指令を駆動部５３に送らないこと、または搬送継続指令を送ることをいう。いずれにしても、原稿の搬送を継続すればよい。原稿は、重送検知センサ１３を通過するとフィードローラ１４により、さらに搬送方向下流に搬送される。
【００９３】
次にイベント発生タイミングｔ３３において、原稿検知センサ１５は、原稿を検知する（Ｓ１０１：ＹＥＳ）。ＣＰＵ２１は、原稿検知センサ１５Ｌ、および原稿検知センサ１５Ｒの原稿先端検知タイミングを比較する（Ｓ１０２）。本動作例４においては、原稿はキャリアシート４０に挟まれない通常の原稿なので、原稿検知センサ１５Ｌ、および原稿検知センサ１５Ｒの原稿先端検知タイミングが同じであると判断される。これにより、ステップＳ１０２の判断結果がＹＥＳとなり、処理はステップＳ１１０へ移される。
【００９４】
ステップＳ１１０では、重送検知センサ１３からの振幅情報に基づく減衰量があらかじめ定められた閾値を越えるか否かが判断される。本動作例４においては、原稿が重送していない場合であるので、重送検知センサ１３からの振幅情報に基づく減衰量は、重送を示す閾値を越えないと判断される。そのため、ステップＳ１１０の判断結果はＮＯとなり、処理はステップＳ１１０の判断結果がＮＯなので、処理はステップＳ１１１へ移される。
【００９５】
処理の実行タイミングｔ３４において、ＣＰＵ２１は、光源５１の点灯指令を読取部１６に送る（Ｓ１１１）。読取部１６は、点灯指令を受けて光源５１を点灯する。原稿がカラーで読み取られる場合、三原色ＲＧＢのＬＥＤは、それぞれ時分割で点灯する。原稿がモノクロで読み取られる場合、三原色ＲＧＢのＬＥＤは、いずれかを点灯する。
【００９６】
処理の実行タイミングｔ３４からイベント発生タイミングｔ３６において、ＣＰＵ２１はステップＳ１１２、Ｓ１１３、およびＳ１１４の処理をする。受光部５２は、原稿により反射された光を受光し、受光量に応じたアナログ信号をＡＦＥ５０へ送る。ＡＦＥ５０は、アナログ信号をＡ／Ｄ変換し、ＣＰＵ２１へ送る。さらに、ＣＰＵ２１は、読み取りデータを結合し、一枚の画像の情報としてＲＡＭ２３に保存する（Ｓ１１２）。
【００９７】
イベント発生タイミングｔ３５は、重送検知センサ１３の振幅情報が変化したタイミングである。イベント発生タイミングｔ３５において、重送検知センサ１３からの振幅情報に基づく減衰量がＲＯＭ２２にあらかじめ記憶された重送を示す閾値を越えるか否かが判断される（Ｓ１１３）。本動作例４において原稿は重なっている状態なので、振幅情報に基づく減衰量は重送を示す閾値を越える。そのため、ステップＳ１１３の判断結果はＹＥＳとなり、処理はステップＳ１４０に移される。
【００９８】
本動作例４のように、原稿が搬送途中に重なった状態にあると判断される場合がある。このような場合は、次に読み取られる原稿が摩擦力、または静電気力などにより搬送されている原稿に引き込まれて発生する。複数の原稿検知センサ１５は、被搬送物の有無を検知するためのセンサであって、被搬送物の搬送を終えるまで被搬送物を検知し続ける。さらに、被搬送物が原稿であるとすでに区別されているため、複数の原稿検知センサ１５からの複数の検知情報に従って、原稿が搬送されていると判断する必要がない。そこで、ステップＳ１１３においては、原稿検知センサ１５からの検知情報によらず、重送検知センサ１３の検知情報のみに従って、原稿が重なっている状態か否かを判断する。
【００９９】
ステップＳ１４０では、処理の実行タイミングｔ３６において、読取部１６に光源５１の消灯指令が送られる。読取部１６は、消灯指令を受けて光源５１を消灯する。消灯指令が送られると、処理はステップＳ１３０に移される。ステップＳ１４０において、消灯指令が出されると、読取処理は停止されるが、停止される以前に読み取られた読み取りデータは、削除されてもされなくてもよい。
【０１００】
ステップＳ１３０では、処理の実行タイミングｔ３７において、駆動部５３へ搬送停止指令が送られる。駆動部５３は、搬送停止指令に従って、ピックアップローラ１１、フィードローラ１４、および排紙ローラ１７の回転を停止する。また、ＣＰＵ２１は、ＬＥＤ７のエラーを示すＬＥＤを赤く点灯させる。フローチャートの処理は、搬送停止指令が送られると終了する。
【０１０１】
（変形例）
（１）本実施形態において、画像処理装置の一例として画像読取装置１を挙げた。しかし、画像処理装置は、ファクシミリ装置、コピー機、およびスキャナ装置のいずれか、またはこれらの組み合わせによる複合機などでもよい。
【０１０２】
（２）本実施形態において、原稿分離部１２は、板状の部材であるとしたが、ピックアップローラ１１の回転方向とは反対方向に回転する逆転ローラでもよい。この場合、原稿分離部１２は、搬送路３０を挟んでピックアップローラ１１に対向する位置に配置され、摩擦力により原稿を一枚ずつに分離する。
【０１０３】
（３）本実施形態において、重送検知センサ１３は超音波センサであったが、赤外線センサでもよい。赤外線センサであっても超音波センサの場合と同様に原稿の枚数に応じて変化する振幅を示す振幅情報に基づく減衰量と、あらかじめ定められた重送を示す閾値との大小関係が比較されることにより、重送であるか否かが検知されればよい。
【０１０４】
（４）本実施形態において、原稿検知センサ１５は、本体上部４に配置されたが、本体下部５に配置されてもよい。
【０１０５】
（５）本実施形態において、原稿検知センサ１５は、接触型のセンサであるが、光学式センサや、磁気センサなどでもよい。また、キャリアシート４０に設けられた溝４１は、溝ではなく孔でもよい。
例えば、原稿検知センサ１５として光学式センサを備え、キャリアシート４０が溝４１ではなく、孔を備えている場合、光学式センサがキャリアシートの先端を検知した後、原稿検知センサ１５Ｌは孔によって一度、キャリアシートを検知しなくなり再度キャリアシートを検知する。原稿先端検知タイミングと原稿後端検知タイミングの出現パターンによりキャリアシートか否かを判別し、本実施形態と同様に制御を行うことができる。
【０１０６】
（６）本実施形態において、キャリアシート４０の先端部４０Ａが溝４１ではなく孔を備えている場合、ＣＰＵ２１は、原稿先端検知タイミング、および原稿後端検知タイミングの出現パターンにより原稿が搬送されているか、またはキャリアシートが搬送されているかを判断する。ＣＰＵ２１が、原稿検知センサ１５Ｌおよび原稿検知センサ１５Ｒの原稿先端検知タイミングを同時に検知した後、例えば原稿検知センサ１５Ｒの原稿後端検知タイミング、原稿先端検知タイミングの順で検知する場合を考える。この場合、ＯＮ情報とＯＦＦ情報とが切り替わる検知パターンが示される検知情報がＣＰＵ２１に送られる。ＣＰＵ２１は、検知パターンによって被搬送物に孔があると判断すると、図６に示すフローチャートのステップＳ１０２がＮＯの場合であるとして処理する。また、ＣＰＵ２１が、原稿検知センサ１５Ｌおよび原稿検知センサ１５Ｒの原稿先端検知タイミングを同時に検知した後に、検知パターンを検知しない場合、ＣＰＵ２１は、原稿に孔がないと判断し、ステップＳ１０２がＹＥＳの場合であるとして処理を継続する。なお、複数の原稿検知センサ１５が検知パターンを検知しない場合が、第一検知情報発生状態の一例である。一方、複数の原稿検知センサ１５が検知パターンを検知する場合が、第二検知情報発生状態の一例である。
【０１０７】
また、変形例（６）において、ステップＳ１０２においてキャリアシートか否かを判断する場合、キャリアシートの孔が形成された先端部４０Ａの搬送方向の長さと搬送速度とに基づく検知可能期間がＲＯＭ２２に予め記憶されており、原稿の先端が検知されてから検知可能期間の間、原稿検知センサ１５Ｌ、および原稿検知センサ１５Ｒの検知情報が異なる期間があるか否かによって、ステップＳ１０２の処理が実行されればよい。
【０１０８】
（７）本実施形態において、複数の原稿検知センサ１５は、搬送方向に直交する方向に間隔をあけて配置されたが、搬送方向に交差する方向であって、搬送方向に直交しない方向に間隔をあけて配置されてもよい。この場合、ステップＳ１０２における複数の原稿検知センサ１５からの検知タイミングが同じか否かの判断は、複数の原稿検知センサ１５の位置関係により判断基準を変えて判断されればよい。
例えば、キャリアシートに挟まれていない原稿が搬送され、複数の原稿検知センサ１５からの検知タイミングの差が０．０３秒である場合、ＲＯＭ２２に０．０３秒の情報があらかじめ記憶される。複数の原稿検知センサ１５のうち最初に検知した原稿検知センサ１５からの検知タイミングに０．０３秒が加えられる。０．０３秒が加えられた検知タイミングが、複数の原稿検知センサ１５のうち最後に検知した原稿検知センサ１５からの検知タイミングと同じであるか否かが判断されればよい。検知タイミングが同じであると判断された場合、ステップＳ１０２はＹＥＳであるとして、ステップＳ１１０へ処理が移される。一方、検知タイミングが異なると判断された場合、ステップＳ１０２はＮＯであるとしてステップＳ１２０に処理が移される。なお、０．０３秒が加えられた検知タイミングが、複数の原稿検知センサ１５のうち最後に検知した原稿検知センサ１５からの検知タイミングと同じである場合が、第一検知情報発生状態の一例である。一方、０．０３秒が加えられた検知タイミングが、複数の原稿検知センサ１５のうち最後に検知した原稿検知センサ１５からの検知タイミングと異なる場合が、第二検知情報発生状態の一例である。
【０１０９】
（８）本実施形態において、複数の原稿検知センサ１５は、間隔をあけて、搬送方向に直交させて配置されたが、搬送方向に交差する方向であって搬送方向に直交しない位置に配置され、キャリアシートが溝４１ではなく孔を備えていてもよい。この場合、前述の変形例（７）に記載の例のように、例えば、キャリアシートに挟まれていない原稿が搬送され、複数の原稿検知センサ１５からの検知タイミングの差が０．０３秒である場合、ＲＯＭ２２に０．０３秒の情報があらかじめ記憶される。複数の原稿検知センサ１５のうち最初に検知した原稿検知センサ１５からの検知タイミングに０．０３秒が加えられる。
【０１１０】
さらに、孔を備えたキャリアシートが搬送される場合、上記の処理に加えて、変形例（６）に記載の処理と同様に、原稿先端検知タイミング、および原稿後端検知タイミングの出現パターンにより原稿が搬送されているか、またはキャリアシートが搬送されているかをＣＰＵ２１が判断する。ＣＰＵ２１が、原稿検知センサ１５Ｌおよび原稿検知センサ１５Ｒの原稿先端検知タイミングを同時に検知した後、例えば原稿検知センサ１５Ｒの原稿後端検知タイミング、原稿先端検知タイミングの順で検知する場合を考える。この場合、ＯＮ情報とＯＦＦ情報が切り替わる検知パターンが示される検知情報がＣＰＵ２１に送られる。ＣＰＵ２１は、検知パターンが検知される場合、被搬送物に孔があると判断し、ステップＳ１０２がＮＯの場合であるとして処理を継続する。また、原稿検知センサ１５Ｌおよび原稿検知センサ１５Ｒが原稿先端検知タイミングを同時に検知した後、検知パターンが検知されない場合、ＣＰＵ２１は、被搬送物に孔がないと判断し、ステップＳ１０２がＹＥＳの場合であるとして処理を継続する。なお、検知パターンが検知されない場合が、第一検知情報発生状態の一例である。一方、検知パターンが検知される場合が、第二検知情報発生状態の一例である。
【０１１１】
（９）本実施形態の実施例、変形例（６）、変形例（７）および変形例（８）において、ステップＳ１０２の判断例を挙げたが、これらの判断例が、検知情報発生状態が第一検知情報発生状態であるか、または第二検知情報発生状態であるかの判断の一例である。また、ステップＳ１０２において、ＹＥＳと判断される場合が、検知情報発生状態が第一検知情報発生状態であると判断される場合の一例であり、ＮＯと判断される場合が、検知情報発生状態が第二検知情報発生状態であると判断される場合の一例である。なお、検知情報発生状態が第一検知情報発生状態である場合とは、キャリアシートに挟まれない原稿が搬送される場合である。一方、検知情報発生状態が第二検知情報発生状態である場合とは、原稿がキャリアシートに挟まれて搬送され、キャリアシートに備えられた溝、または孔に基づいて検知情報が発生する場合のことを言う。
【０１１２】
（１０）本実施形態において、読取処理は、ＣＰＵ２１によるステップＳ１２０とステップＳ１２１の処理、およびステップＳ１１１とステップＳ１１２の処理である。読取処理を停止させるとは、ＣＰＵ２１がステップＳ１１５、ステップＳ１２３、およびステップＳ１４０の処理を行うことである。なお、読取処理を継続させるとは、ＣＰＵ２１が消灯指令を読取部１６に送らない、または読取継続指令が送られてもよい。いずれにしても、読取処理を継続させるとは、原稿の読み取りが継続されればよい。また、搬送処理は、ＣＰＵ２１によるステップＳ１００の処理である。搬送処理を停止させるとは、ＣＰＵ２１がステップＳ１１６、ステップＳ１２４、およびステップＳ１３０の処理を行うことである。なお、搬送処理を継続させるとは、ＣＰＵ２１が搬送停止指令を駆動部５３に送らない、または搬送継続指令が送られてもよい。いずれにしても、搬送処理を継続させるとは、原稿の搬送が継続されればよい。
【０１１３】
（１１）本実施形態において、原稿が重なった状態で搬送されていると判断されると、ステップＳ１４０において読取処理を停止させ、かつステップＳ１３０において搬送処理を停止させた。しかし、搬送処理、または読取処理の少なくとも一方を停止させればよい。例えば、読取処理が停止され、搬送処理が継続される場合、原稿は、読み取られず、搬送方向下流へ搬送されて排紙ローラ１７により本体部２の外へ排紙されてもよい。また、読取処理が継続され、搬送処理が停止される場合、読み取られたデータは記憶されても削除されてもよい。
【０１１４】
（１２）変形例（１１）において、読取処理が停止され、搬送処理が継続される場合、原稿は、読み取られず、搬送方向下流へ搬送されて排紙ローラ１７により本体部２の外へ排紙されてもよいとしたが、駆動部５３を逆回転させ、搬送方向上流の原稿トレイ３へ原稿が搬送されてもよい。
【０１１５】
（１３）本実施形態において、ＣＰＵ２１は、重送判断による搬送停止指令後に図６に示すフローチャートの処理を終了したが、処理を終了しなくてもよい。この場合、スイッチ６が操作を受け付けると、スイッチ６からの操作の情報に従って図６に示すフローチャートの処理が再開されればよい。
【０１１６】
（１４）本実施形態において、一対のサイドガイド１０が規制する搬送領域は、搬送路３０の中央を基準として左右方向に均等に決められていた。しかし、サイドガイド１０の一方が固定されている場合、固定されたサイドガイド１０を基準として搬送領域が定められてもよい。この場合、固定されたサイドガイド１０を基準として、一対のサイドガイド１０が最も近づいた時の搬送領域の左端、および右端の間に、２個の原稿検知センサ１５Ｌ、原稿検知センサ１５Ｒが配置されればよい。
【０１１７】
（１５）本実施形態において、一対のサイドガイド１０が可動領域３２において互いに最も近づいた時の搬送領域の左端３４Ｌ、および右端３４Ｒの間に、２個の原稿検知センサ１５Ｌ、原稿検知センサ１５Ｒは搬送方向に直交し、原稿トレイ３の左右方向の長さの中点から互いに左右方向に均等な距離に配置された。しかし、原稿検知センサ１５は、一対のサイドガイド１０が可動領域３２において互いに最も遠ざかった時の搬送領域内の搬送方向に交差する方向に間隔をあけて複数配置されればよい。また、複数の原稿検知センサ１５により被搬送物が検知されない場合は、キャリアシートに挟まれない原稿が搬送されているとして、ステップＳ１０２の処理はＹＥＳであると判断され、ステップＳ１１０に処理が移されればよい。
【０１１８】
（１６）本実施形態において、重送検知センサ１３を原稿検知センサ１５よりも搬送方向上流に配置したが、原稿検知センサ１５が重送検知センサ１３よりも搬送方向上流に配置されてもよい。この場合、ステップＳ１１１およびステップＳ１２０のＣＰＵ２１が光源５１に点灯指令を送るタイミングは、原稿またはキャリアシートが原稿検知センサ１５により検知されてから、読み取り部１６に到達するまでの搬送時間遅らされる。または、原稿検知センサ１５により原稿またはキャリアシートが検知されると、ＣＰＵ２１は光源５１に点灯指令を送り、読取処理を終えた後、読み取りデータのうち、原稿が読み取られていない部分が削除されればよい。
【０１１９】
（１７）本実施形態において、ステップＳ１１０、およびステップＳ１１３においては、振幅情報に基づく減衰量と重送を示す閾値とが比較され、原稿が重なった状態であるか否かが判断されたが、振幅情報と、重送を示す振幅の値である閾値とを比較すればよい。例えば、重送を示す振幅の値である閾値と、振幅情報により示される振幅の値とが比較され、振幅情報により示される振幅の値が重送を示す振幅の値である閾値を越えない場合、原稿が重なった状態であると判断され、振幅情報により示される振幅の値が重送を示す振幅の値である閾値を越える場合、原稿が重なった状態でないと判断されればよい。
【０１２０】
（１８）本実施形態において、原稿検知センサ１５は２個配置されたが、２個以上であってもよい。例えば、原稿検知センサ１５が３個配置される場合、キャリアシート４０の先端部分４０Ａが２個の原稿検知センサ１５により検知され、溝４１が１個の原稿検知センサ１５により検知される。これにより、キャリアシート４０、および原稿が区別され、自動的に動作が切り替えられる。
【０１２１】
（１９）本実施形態において、読取部１６はＣＩＳを含んだが、ＣＣＤ（Ｃｈａｒｇｅ  Ｃｏｕｐｌｅｄ  Ｄｅｖｉｃｅｓ）を含んでもよい。
【０１２２】
（２０）本発明において、搬送方向に対して直交する方向に移動する一対のサイドガイドが備えられるとあるが、一対のサイドガイドは、９０度の角度を示すだけでなく、９０度±０．５度の範囲であればよい。
【０１２３】
（実施形態の効果）
原稿検知センサ１５Ｌ、および原稿検知センサ１５Ｒは原稿トレイ３の左右方向の中点から均等に配置される。さらに、キャリアシート４０に備えられる溝４１は、原稿検知センサ１５Ｌ、または原稿検知センサ１５Ｒに対応する位置に形成される。搬送されているキャリアシート４０の下方向を裏面とし、上方向を表面とすると、キャリアシート４０の裏面、および表面に関係なく、溝４１は原稿検知センサ１５Ｌ、または原稿検知センサ１５Ｒにより検知される。例えば、溝４１が原稿検知センサ１５Ｒに合わせて形成されるキャリアシート４０の表面から原稿が読み取られるように原稿が挟まれている場合、表面を下方向に搬送されても、溝４１は原稿検知センサ１５Ｌによって検知される。これにより、キャリアシート４０に挟まれた原稿が読み取られることができる。
【０１２４】
（発明と本実施形態との対応関係）
本実施形態に記載の構成と、本発明の構成との対応関係は次の通りである。画像読取装置１が画像処理装置の一例である。ピックアップローラ１１、が搬送手段の一例である。重送検知センサ１３が第一検知手段の一例であり、原稿検知センサ１５（１５Ｌ、１５Ｒ）が、第二検知手段の一例である。作動子１５Ａは作動子の一例であり、フォトカプラ１５Ｂは、センサの一例である。読取部１６が、読取手段の一例であり、ＣＰＵ２１は制御手段の一例である。先端部４０Ａが張り合わせ部分の一例であり、溝４１が溝状に形成された縁部の一例である。原稿先端検知タイミング、検知タイミングは、発生タイミング、および当接したタイミングの一例である。検知パターンは、発生期間の一例である。ステップＳ１０２において、ＹＥＳと判断される場合が、検知情報発生状態が第一検知情報発生状態であると判断される場合の一例である。一方、ＮＯと判断される場合が、検知情報発生状態が第二検知情報発生状態であると判断される場合の一例である。ステップＳ１０１の処理が判断ステップの一例である。ステップＳ１０２、ステップＳ１１０、およびステップＳ１３０の処理が第一制御処理の一例である。ステップＳ１１３、ステップＳ１４０、およびステップＳ１３０の処理が、第二制御処理の一例である。ステップＳ１２０、およびステップＳ１２１の処理が読取処理、および読取ステップの一例である。ステップＳ１３０、およびステップＳ１４０の処理が停止ステップの一例である。
【符号の説明】
【０１２５】
１    画像読取装置
２    本体部
３    原稿トレイ
４    本体上部
５    本体下部
６    スイッチ
７    ＬＥＤ
１０  サイドガイド
１１  ピックアップローラ
１２  分離部
１３  重送検知センサ
１４  フィードローラ
１５  原稿検知センサ
１６  読取部
１７  排紙ローラ
１８  フロントセンサ
２０  制御部
３０  搬送路
【図１】
2015195442.tif 000003
【図２】
2015195442.tif 000004
【図３】
2015195442.tif 000005
【図４】
2015195442.tif 000006
【図５】
2015195442.tif 000007
【図６】
2015195442.tif 000008
【図７】
2015195442.tif 000009
【図８】
2015195442.tif 000010
【図９】
2015195442.tif 000011
【図１０】
2015195442.tif 000012